Podtech/llm-jp-corpus-v4-ja_patent huggingface dataset:
(57)【要約】    【課題】  家庭や飲食店の調理場などで手間をかけずに、玉ねぎの微塵切りと同様に使用できる包装容器入り練り玉ねぎを提供する。    【解決手段】  殺菌済みの玉ねぎを微細に粉砕してペースト状にした練り玉ねぎ１を、所要量ずつ絞り出すことのできるチューブ状の包装容器２に詰めた。練り玉ねぎは玉ねぎを微塵切りにしたものと同等の食味を得ることができると共に、予め殺菌して包装容器に入れられているので、流通ルートにのせて販売することができる。【選択図】    図１
0003103293.tif 000002
【実用新案登録請求の範囲】
【請求項１】
殺菌済みの玉ねぎを微細に粉砕してペースト状にしたものを密閉型の包装容器に詰めたことを特徴とする包装容器入り練り玉ねぎ。
【請求項２】
包装容器として内部の練り玉ねぎを所要量ずつ絞り出すことのできるチューブ状又は袋状の包装容器を用いたことを特徴とする請求項１記載の包装容器入り練り玉ねぎ。
【考案の詳細な説明】
【技術分野】
【０００１】
本考案は、包装容器入り練り玉ねぎに関するものである。
【背景技術】
【０００２】
例えばハンバーグステーキには玉ねぎの微塵切りが添えられることが多い。玉ねぎの微塵切りは、食べ物の油濃さを緩和し、食味を向上させる働きがある。
【考案の開示】
【考案が解決しようとする課題】
【０００３】
玉ねぎは保存期間を長くするため、皮を剥かず通気性のよい網袋などに入れて販売されている。したがって玉ねぎの微塵切りを作るためには、玉ねぎの皮を剥いて、洗浄し、包丁で細かく切り刻む必要があり、手間と時間がかかる。また玉ねぎを微塵切りにしたものは変質しやすいので、そのままでは流通ルートにのせることができない。さらに玉ねぎの皮や上下の不要部分は、微生物分解方式の生ゴミ処理器では分解できないので、通常のゴミとして扱わねばならず、ゴミが増える。
【０００４】
本考案の目的は、家庭や料理店の調理場などで手間をかけずに使用できる包装容器入り練り玉ねぎを提供することにある。
【課題を解決するための手段】
【０００５】
本考案に係る包装容器入り練り玉ねぎは、殺菌済みの玉ねぎを微細に粉砕してペースト状にしたものを密閉型の包装容器に詰めたことを特徴とするものである。玉ねぎは粒々がほとんど残らない程度に微細に粉砕するとペースト状にすることができる。
【０００６】
本考案において、包装容器としては、内部の練り玉ねぎを所要量ずつ絞り出すことのできるチューブ状又は袋状の包装容器を使用することが好ましい。練り玉ねぎはペースト状であるので、チューブや袋から必要量だけ絞り出して使用することができる。
【０００７】
また本考案に係る包装容器入り練り玉ねぎは、玉ねぎの皮を剥いて上下の不要部分を切除する工程、この玉ねぎの表面を殺菌、洗浄する工程、殺菌、洗浄された玉ねぎを細かく粉砕し、練ってペースト状にする工程、かくして得られた練り玉ねぎを包装容器に詰める工程を経ることにより製造することができる。
【考案の効果】
【０００８】
本考案に係る包装容器入り練り玉ねぎは、玉ねぎを細かく粉砕してペースト状にしたものであるので、玉ねぎの微塵切りと同等の食味を得ることができると共に、予め殺菌して包装容器に入れられているので、流通ルートにのせて販売することができる。したがって包装容器入り練り玉ねぎを購入した一般消費者又は業者は、包装容器をあけるだけで、練り玉ねぎを使用することができ、手間も時間も節約できると共に、玉ねぎゴミの発生を少なくできる。
【０００９】
特に、練り玉ねぎはペースト状であるので、これを所要量ずつ絞り出すことのできるチューブ状又は袋状の包装容器に詰めておけば、家庭では普通の調味料と同様に使用できて便利である。
【００１０】
本考案の包装容器入り練り玉ねぎは、品質管理の整った工場で効率よく製造することができ、品質安定、コスト低減を図ることができる。
【考案を実施するための最良の形態】
【００１１】
図１は本考案に係る包装容器入り練り玉ねぎの一実施形態を示す。図において、１は練り玉ねぎ、２は練り玉ねぎ１を詰めたチューブ、３はチューブ２の蓋である。練り玉ねぎ１は殺菌済みの玉ねぎをほとんど粒々のない程度に微細に粉砕してペースト状にしたものである。このようなチューブ入り練り玉ねぎは、練り玉ねぎを所要量ずつ絞り出して使用できるので、家庭で使うのに便利である。
【００１２】
図２は本考案の他の実施形態を示す。この実施形態は、練り玉ねぎ１をプラスチックフィルム製の袋４に入れて密封したものである。このような袋入り練り玉ねぎは、練り玉ねぎを多く使用する業務用に好適である。
【００１３】
なお、練り玉ねぎを入れる包装容器としては上記のチューブや袋以外にも、蓋つきプラスチックケース、紙パック（牛乳や酒などに使用されている密閉容器）などを使用することもできる。
【００１４】
上記のような包装容器入り練り玉ねぎは、図３のような工程を経て製造することができる。まず皮付き玉ねぎを用意し（ステップ１１）、この皮付き玉ねぎの皮を剥ぎ、上下の不要部分を切除して（ステップ１２）、剥き玉ねぎを得る（ステップ１３）、次にこの剥き玉ねぎを、次亜塩素酸ソーダを食品衛生上安全な濃度にまで水で希釈した低温の水溶液に、噴出気泡を与えながら数分間浸漬し、殺菌・洗浄を行う（ステップ１４）。その後、清浄な流水に浸漬してすすぎを行う（ステップ１５）。次に、オゾンミスト（オゾンの霧）の中を通過させて２度目の殺菌処理を行う（ステップ１６）。殺菌処理を２度行うのは、より腐食しにくい練り玉ねぎを得るためである。次に、殺菌処理された剥き玉ねぎを粉砕機に送り込み、微細に粉砕して（ステップ１７）、ペースト状の練り玉ねぎを得る（ステップ１８）。その後、この練り玉ねぎを４℃の冷蔵庫の中で保管した後、容器充填装置のホッパーに投入し、包装容器に充填する（ステップ１９）。以上で包装容器入り練り玉ねぎが出来上がる（ステップ２０）。
【図面の簡単な説明】
【００１５】
【図１】本考案に係る包装容器入り練り玉ねぎの一実施形態を示す断面図。
【図２】同じく他の実施形態を示す断面図。
【図３】本考案に係る包装容器入り練り玉ねぎの製造方法の一例を示すブロック図。
【符号の説明】
【００１６】
１：練り玉ねぎ
２：チューブ
３：蓋
４：袋
【図１】
0003103293.tif 000003
【図２】
0003103293.tif 000004
【図３】
0003103293.tif 000005
【手続補正書】
【提出日】平成16年3月5日(2004.3.5)
【手続補正１】
【補正対象書類名】実用新案登録請求の範囲
【補正対象項目名】全文
【補正方法】変更
【補正の内容】
【実用新案登録請求の範囲】
【請求項１】
殺菌済みの玉ねぎを微細に粉砕してペースト状にしたものをチューブ状又は袋状の包装容器に詰めたことを特徴とする包装容器入り練り玉ねぎ。
【請求項２】
殺菌済みの玉ねぎを微細に粉砕してペースト状にしたものを蓋つきプラスチックケース又は紙パックに詰めたことを特徴とする包装容器入り練り玉ねぎ。
【手続補正２】
【補正対象書類名】明細書
【補正対象項目名】００１３
【補正方法】変更
【補正の内容】
【００１３】
なお、練り玉ねぎを入れる包装容器としては上記のチューブや袋以外にも、蓋つきプラスチックケース、紙パック（牛乳や酒などに使用されている密閉容器）を使用することができる。
(57)【要約】【課題】  本考案は筒状のスコップの底面・左右側面・背面の四方に複数の穴を設けペットの排泄物とトイレ用砂等の分別処理を容易にする。【解決手段】  本考案は筒状のスコップ本体１に複数の穴３を設け、その筒状のスコップの中にペットの排泄物とペットのトイレ用砂等を同時にすくい取りふるいに掛ける事に依り砂等が３の複数の穴より外部に排出され、ペットの排泄物とトイレ用の砂等が容易に分別され、ペットの排泄物処理を容易に手早くすることが出来る。【選択図】    図１
0003103919.tif 000002
【実用新案登録請求の範囲】
【請求項１】
筒状のスコップの底面・左右の側面・背面の四方に多数の穴を設け、その筒状のスコップでペットの排泄物とトイレ用の砂等を同時にすくい取りふるいに掛ける事に依りペットの排泄物とトイレ用の砂等を容易に且つ手早く分別処理が出来るものとしたスコップ。
【考案の詳細な説明】
【技術分野】
【０００１】本考案は、筒状のスコップに多数の穴を設けたペットの排泄物処理に関するものである。
【背景技術】
【０００２】従来のペットの排泄物処理のスコップは浅い皿状のものであった。
【考案の開示】
【考案が解決しようとする課題】
【０００３】従来のペットの排泄物処理のスコップは浅い皿状のものである為、排泄物と砂等を分別する際に砂等と同時に排泄物もスコップよりこぼれることがあった。
従って排泄物と砂等を分別する箇所を改良することにより排泄物と砂等の分別を容易に、且つ手早く出来るように前述の欠点を解決しようとするものである。
【考案を解決するための手段】
【０００４】本考案は、筒状のスコップの底面・左右側面・背面の四方に多数の穴を設けたものにペットの排泄物とトイレ用の砂等を同時にすくい取り、排泄物と砂等の分別箇所を筒状にする事に依り排泄物が分別箇所よりこぼれないように問題点を解決している。
【考案の効果】
【０００５】上述の様に、本考案のペット用排泄物処理スコップは、筒状のスコップの底面・左右側面・背面の四方に多数の穴を設けている為、従来の浅い皿状のペットの排泄物処理スコップに比べて手早く、ペットの排泄物と砂を分別処理する事が出来る。
【考案を実施するための最良の形態】
【０００６】筒状のスコップの底面・左右側面・背面の四方に多数の穴を設けたものにペットの排泄物及び砂等をすくい取り砂等のみ筒状の穴より排出され排泄物が筒状部に残る。
【実施例】
【０００７】以下、添付図面に従って実施例を説明する。
１及び２は耐久性のプラスチック等適宜素材にて一体化されたスコップ本体。
３は１の本体に空けられた穴である。
１の本体にペットの排泄物とペット用トイレの砂等を同時にすくい取りふるいに掛ける事に依り、排泄物は１の本体の中に残り、砂等は３の穴より本体外部に排出される。
【図面の簡単な説明】
【０００８】
【図１】本考案のペット排泄物処理スコップの実施例を示す図である。
【符号の説明】
【０００９】        １  スコップ本体
２  スコップ本体取手部
３  穴
【図１】
0003103919.tif 000003
(57)【要約】      （修正有）【課題】無駄な水道水の流出を防止する。【解決手段】水道の蛇口に水を放出・遮断するための電磁弁１を取りつけ、そこから電気コード２を引き、コードの途中に足で踏んで操作する、電磁弁１の開閉用のスイッチ３を取りつけ、その先のコンセント４を電源につなぎ、水道水の放出・遮断を足で行うことができるようにした。【選択図】なし【実用新案登録請求の範囲】
【請求項１】
水道の蛇口に電磁弁１を取りつけ、そこから電気コード２を引き、そのコードの途中に足で踏んで操作するスイッチ３を取りつけ、さらにその先に電源に接続するコンセント４を取りつけた、節水のための器具。
【考案の詳細な説明】
【考案の開示】
【考案が解決しようとする課題】
【０００１】従従来の水道の蛇口で洗い物をした後、流れ出る水を止めようとした場合、洗い物から手を放し、手についた水を振り切ってから蛇口のハンドルを閉めるといった手順で行われていたため、洗い物が終わってから水が止まるまで不経済な水が流れ出ていた。
【課題を解決するための手段】
【０００２】解解決のための手段は、水を止めたり出したりすることを足で行うことであり、そのため蛇口に水道水を放出・遮断するための電磁弁１を取りつけ、そこから電気コード２を引いて、そのコードの途中に足で踏んで操作するスイッチ３を取りつけ、さらにその先に電源に接続するコンセント４を取りつけたものである。
【考案の効果】
【０００３】上本考案は上記のような構造であり、洗い物などを終えると同時に水を止めることができ、これまでのように水を止めるまでに流れ出る無駄な水がなくなる。また、これを家庭からより大きな視野、すなわち市町村、都道府県、日本といったものに広げるとさらに節水に貢献できる。
【図面の簡単な説明】
【０００４】
【図】本考案の斜視図である。
【符号の説明】
１  電磁弁（電気のＯＮ・ＯＦＦで弁が開閉するもの）
２  電気コード
３  足踏み式スイッチ
４  コンセント
0003103912.tif 000002
(57)【要約】      （修正有）【課題】様々な聴取音を聞き取り易い音に変更することができる補聴装置の提供。【解決手段】マイクロホン、ライン入力端子等からの信号増幅部及び７チャンネルのグラフィックイコライザー部の構成からなり、周波数特性及び各チャンネルのレベルを任意に調整できる機能を有し音声、音楽等の入力信号を電流の強弱信号に変換して敷設のループコイルに流すループ補聴装置である。【選択図】図２
0003103911.tif 000002
【実用新案登録請求の範囲】
【請求項１】
ループ補聴装置にグラフィックイコライザー１０を備え、メインアンプ部９とグラフィックイコライザ部１０を切り替えるスイッチを備えた構成のループ補聴装置
【請求項２】
マイクアンプ部４を除く、ラインアンプ部５及びＡＵＸアンプ部６をミクサ８に同時にＯＮ−ＯＦＦ出来るスイッチ７を備えた第１項記載のループ補聴装置
【考案の詳細な説明】
【技術分野】
【０００１】この考案は音声、音楽等の信号を電流の強弱信号に変換し、敷設したループコイルに流す装置の構成にかかり。ループコイルから発生する磁波を誘導コイルを内臓した補聴器で明瞭に受信することができる。
【背景技術】
【０００２】従来のループ補聴装置は図１に示すごとくマイクあんぷ部４、ラインあんぷ部５を備えており、該出力はミクサ部８を通し、パワーアンプ１２、出力トランス１３を経て出力端子へ出力していた。
【考案の開示】
【考案が解決しようとする課題】
【０００３】ループ補聴装置から出力する電流でループコイルから磁波を発生し、誘導コイルを内蔵した補聴器で受信することができる。補聴器の特性はマイク（以後Ｍポジションと言う）を使った時と誘導コイル（以後Ｔポジションと言う）を使った時とでは特性が変わるため、Ｔポジションではマイクポジションで聴取する時と異なった特性での聞こえとなり明瞭に聴取することが出来なかった。
特に高度の難聴になると音楽を聴いたとき現在の補聴器のＴポジションでは低い周波数帯が不足しておりメロデイ、リズム感が分からないと言われている。また補聴器使用者は電話の聞き取りが不便でありその対策が望まれていた。
【課題を解決するための手段】
【０００４】ループ補聴装置に７チャンネルのグラフィックイコライザーを付加し、Ｔポジションの特性をグラフィックイコライザーで個々の聴力特性に合わせることが出来る。
また現状の補聴器ではＭポジションとＴポジションでは特性が異なっているため、Ｔポジションの特性をグラフィックイコライザーでＭポジション特性と同じ特性に変更、修正することができる。
マイクアンプ部にテレホンピックアップアダプターをつなぎラインアンプ部をミクサ回路から切り離すことにより電話器からの信号のみループコイルに流すことが出来るので、補聴器を使って明瞭に電話からの声を聞くことができる。
【考案の効果】
【０００５】ループ補聴装置にグラフィックイコライザーを備える事により、通常の会話のときは特性フラットのメインあんぷ部を使用し、音楽のときはグラフィックイコライザー部を使い低い周波数をブーストして使用する事により補聴器装用者に対して、バリヤフリーの音場を作ることが出来る。
【考案を実施するための最良の状態】
【０００６】以下、本考案の実施例について説明する。
図２は改善された構成の例である。
１：マイクロホン入力端子、２：ライン入力端子、３：ＡＵＸ端子、４：マイクアンプ、５：ラインアンプ、６：ＡＵＸアンプ、７：ＯＮ−ＯＦＦスイッチ、８：ミクサ、９：メインアンプ、１０：７素子グラフィックイコライザ、１１：ＥＱスイッチ、１２：パワーアンプ、１３：出力トランス、１４：出力端子である。
言葉、音楽等の信号を電流の強弱信号に変換し、敷設したループコイルに流す装置に係り、ループコイルから発生する磁波を誘導コイルを内蔵した補聴器や音響機器で受信することが出来る。
講演会場など特に人が多数集まる場所や騒音の多い所では難聴者は補聴器を使ってもマイクポジションでの聞き取りは出来なかった。このような場所にループコイルを敷設して本機を用いると会場に備えたマイクロホンに入る信号のみをＴポジションで聞くことが出る。さらに会場に備えたマイクロホンにはいる騒音も本機に備えた７素子のグラフィックイコライザーで軽減することが出来る。
個人用として使用するときは言葉の聴取のときはメインアンプ側（ＥＱスイッチＯＦＦ）で使用し、音楽聴取のときは（ＥＱスイッチＯＮ）で使用することができる。
乳幼児が補聴器を使用しているときは補聴器の特性をＭポジションの特性にＴポジションの特性をＥＱスイッチＯＮとして合わせることができる。
本機はマイク入力端子からの信号のみ独立して出力することが出来るのでマイク入力端子へテレホンピックアップアダプターをつなぎ補聴器をＴポジションとして、電話を明瞭に聞き取ることができる。
【図面の簡単な説明】
【０００７】
【図１】  従来のループ補聴装置のブロックダイヤグラムである。
【図２】  本考案のループ補聴装置のブロックダイヤグラムである。
【符号の説明】
【０００８】  １・・・・・マイクルホン入力端子
２・・・・・ライン入力端子
３・・・・・ＡＵＸ端子
４・・・・・マイクアンプ
５・・・・・ラインアンプ
６・・・・・ＡＵＸアンプ
７・・・・・ＯＮ−ＯＦＦスイッチ
８・・・・・ミクサ
９・・・・・メインアンプ
１０・・・・・７素子グラフィックイコライザー
１１・・・・・ＥＱスイッチ
１２・・・・・パワーアンプ
１３・・・・・出力トランス
１４・・・・・出力端子
【図１】
0003103911.tif 000003
【図２】
0003103911.tif 000004
(57)【要約】【課題】この考案は、水道管に付けることで水を活水化させるものである。【解決手段】考案の装置の中にパンチング板（２）によって固定したセラミックボール（３）を入れ分割したステン管（４）をつけて磁石（５）をステン管に挟みこむ。【選択図】図１
0003103915.tif 000002
【実用新案登録請求の範囲】
【請求項１】
（イ）流入口（１）より入った水をセラミックボールにふれさせ固定させるためにパンチング板（２）２枚を設ける。
（ロ）流入口（１）より入った水の流速を早めるためにステン管（４）を細分割する。
【請求項２】
細分割したステン管（４）の外より磁石（５）を挟みこむ。
【考案の詳細な説明】
【考案の詳細な説明】
【技術分野】
【０００１】この考案は、セラミックボールと磁石を利用した水の活水装置である。
【背景技術】
【０００２】従来は、磁石又はセラミックボールだけ片方の方法が取られ効果が不十分であった。
【考案が解決しようとする課題】
【０００３】本案は、磁石とセラミックボールを使用して、効果を高めようとするものである。
【課題を解決するための手段】
【０００４】    今、その解決手段を図面に追いながら説明すれば
（イ）流入口（１）より入った水をパンチング板（２）で固定されたセラミックボール（３）に触れさせる。
（ロ）次に細分割ステン管（４）を通過する。
（ハ）ステン管（４）を通過する時に挟みこんだ磁石によって活水させる。
【考案を実施するための最良の形態】
【０００５】本案は、以上のような構造であるから、これを使用する時は、電力などの動力を使用することなく使用できる。【０００６】なお、本考案の実施に当たって次の如きことができる。
（イ）使用する水量によって本考案は大小作ることができる。
（ロ）地上、地下どちらにも使用できる。
【考案の効果】
【０００７】したがって、動力を使用せず安全な活水装置である。
【図面の簡単な説明】
【０００８】
【図１】本考案の平面図
【符号の説明】
【０００９】１は流入口
２はパンチング板
３はセラミックボール
４はステン管
５は磁石
６は流出口
【図１】
0003103915.tif 000003
【手続補正書】
【提出日】平成16年4月12日(2004.4.12)
【手続補正１】
【補正対象書類名】実用新案登録請求の範囲
【補正対象項目名】全文
【補正方法】変更
【補正の内容】
【実用新案登録請求の範囲】
【請求項１】
流入口（１）より入った水は、パンチング板（２）２枚にて固定されたセラミックボールの中を通過することで遠赤外線を与え、次に水の速度を早めるため、流入口（１）より細いステン管（４）２本をもうけ、水の分子を小さくする目的として、そのステン管（４）の外側から磁石を挟み込み、そのステン管の中を水が通過する活水装置。
(57)【要約】      （修正有）【課題】肌カブレを防止できる湿布薬の提供。【解決手段】湿布薬には通常薄いフィルムが粘着部保護の為に貼ってある。本考案はそのフィルムに無数の針穴をあけ通気性をもたせた上湿布薬にフィルムを貼ったまま肌に貼ってテープ等にて湿布薬を押さえるしたがって肌と薬品が直接触れない為肌カブレを防ぐものである。【選択図】なし【実用新案登録請求の範囲】
【請求項１】
湿布薬の肌カブレ防止の為、肌と湿布薬の間に貼り肌カブレ防止を目的としたフィルム状のものに針穴等にて通気性をもたせた薄いもの
【考案の詳細な説明】
0003103917.tif 000002
【手続補正書】
【提出日】平成16年3月15日(2004.3.15)
【手続補正１】
【補正対象書類名】明細書
【補正対象項目名】全文
【補正方法】変更
【補正の内容】
【考案の詳細な説明】
【技術分野】
【０００１】  湿布薬には通常粘着部保護の為、薄いフィルムが貼ってあり本考案はそのフィルムに無数の針穴をあけ通気性をもたせ肌カブレの防止を目的とし湿布薬にフィルムを貼ったまま使用するものである。
【背景技術】
【０００２】  従来の湿布薬は粘着部保護のフィルムを剥して肌に直接貼る為肌カブレを生じる場合が非常に多い為、本考案を考えたもの。
【課題】
【０００３】  湿布薬を直接肌に貼ると肌カブレを生じる場合が非常に多い為、肌の同じ場所に何日も貼る事が出来ない。
【解決手段】
【０００４】  湿布薬には通常粘着部保護の為、薄いフィルムが貼っある本考案はそのフィルムに無数の針穴をあけ通気性をもたせ湿布薬にフィルムを貼ったまま肌に貼ってテープ等にて湿布薬を押さえるしたがって肌と薬品が直接触れない為、肌カブレを防ぐものである。尚、カブレない人はフィルムを剥して貼れ両用できる利便性がある。
【図面の簡単な説明】
【０００５】
【図１】  湿布薬側面図
【図２】  湿布薬全体図
【符号の説明】
【０００６】
【１】  湿布薬
【２】  フィルム
【３】  針穴
【手続補正２】
【補正対象書類名】図面
【補正対象項目名】全図
【補正方法】変更
【補正の内容】
【図１】
0003103917.tif 000003
【図２】
0003103917.tif 000004
(57)【要約】【課題】吸盤をつけることができる上面を有する棚、テーブル等であれば縁に掛けて使用しても容易にフック自体がずれ落ちることなく使用でき、なおかつ、フックのみで何かに引っ掛けて使用することもでき、さらに、吸盤をつけることができる壁面等であれば取り付けることもできる吸盤付きフックを提供する。【解決手段】吸盤体中央の抓み部とフックの先端部を紐状の部品又は棒状の部品を介して間接的に連結し、吸盤体中央の抓み部と紐状の部品又は棒状の部品との連結部と、フックの先端部と紐状の部品又は棒状の部品との連結部とを離れた状態にし、どちらの連結部も倒起自在な動きができるようなものにした。【選択図】図１
0003103913.tif 000002
【実用新案登録請求の範囲】
【請求項１】
吸盤体中央の抓み部とフックの先端部が紐状の部品又は棒状の部品を介して間接的に連結され、吸盤体中央の抓み部と紐状の部品又は棒状の部品との連結部と、フックの先端部と紐状の部品又は棒状の部品との連結部が離れていて、どちらの連結部も倒起自在な動きができるようなものであることを特徴とする吸盤付きフック。
【考案の詳細な説明】
【技術分野】
【０００１】  本考案は、一般家庭において、台所用品、日用品、その他物を整理する際に用いられるカゴや物掛け具の本体などを吊り下げるための吸盤付きフックに関するものである。
【背景技術】
【０００２】  従来のこの種の吸盤の付いていないフックとしてはカゴや物掛け具本体などを吊るすためのフックのように、フックを直接何かに引っ掛けることによって使用するものが知られている。
【考案の開示】
【考案が解決しようとする課題】
【０００３】  しかし、従来の吸盤の付いていないフックでは、吸盤をつけることができる上面を有する棚、テーブル等であっても縁に掛けて使用すると、フック自体が容易にずれ落ちてしまい不便である。また、吸盤をつけることができる壁面等であっても吸盤が付いていないので取り付けることができない。【０００４】  本考案は、このような問題を解決しようとするもので、吸盤をつけることができる上面を有する棚、テーブル等であれば縁に掛けて使用しても容易にフック自体がずれ落ちることなく使用でき、なおかつ、従来の吸盤が付いていないフックのように、フックのみで何かに引っ掛けて使用することもでき、さらに、吸盤をつけることができる壁面等であれば取り付けることもできる吸盤付きフックを提供することが可能である。
【課題を解決するための手段】
【０００５】  本考案は、吸盤体中央の抓み部とフックの先端部を紐状の部品又は棒状の部品を介して間接的に連結し、吸盤体中央の抓み部と紐状の部品又は棒状の部品との連結部と、フックの先端部と紐状の部品又は棒状の部品との連結部を離し、どちらの連結部も倒起自在な動きができるようなものにすることによって上記課題を解決したものである。
【考案の効果】
【０００６】  以上のように請求項１記載の吸盤付きフックは、吸盤をつけることができる上面を有する棚、テーブル等の縁であればフック自体が容易にずれ落ちることなく使用でき、さらに、フックのみで何かに引っ掛けて使用することもでき、吸盤をつけることができる壁面等であれば吸盤を吸着させて取り付けることもできる。
【考案を実施するための最良の形態】
【０００７】  本考案の吸盤付きフックは、図１に示されるように、フックの先端部３ａと吸盤体中央の抓み部１ａにそれぞれ紐状の部品２を連結するための穴を設け、フックの先端部３ａと吸盤体中央の抓み部１ａとを紐状の部品２を介して間接的に連結させて、連結部４と連結部５が離れるようにした状態が最良の形態と思われる。
【実施例】
【０００８】  図２は本考案のフックの根元部３ｂに物を掛けるためのフック６を連結し、物掛け具として吸盤をつけることができる上面を有する棚Ｋの縁で使用している実施例を示し、吸盤体１はフック３ａがずれ落ちるのを紐状の部品２を介して防いでいる。【０００９】  図３は本考案のフックの根元部３ｂに物を掛けるためのフック６を連結し、物掛け具として棒Ｌに直接引っ掛けて使用している実施例を示し、この場合吸盤は利用しない。【００１０】  図４は吸盤体中央の抓み部１ａとフックの先端部３ａを紐状の部品２を介して間接的に連結させた本考案のフックの根元部３ｂに物を掛けるためのフック６を連結し、物掛け具として吸盤をつけることができる壁面Ｍで使用している実施例を示している。【００１１】  図５は吸盤体中央の抓み部１ａとフックの先端部３ａを棒状の部品７を介して間接的に連結させた本考案のフックの根元部３ｂに物を掛けるためのフック６を連結し、物掛け具として吸盤をつけることができる壁面Ｍで使用している実施例を示し、棒状の部品７、連結部４ａ、連結部５ａはすべてねじれないようになっており、物を掛けるためのフック６の先端部が常に突き立つようになっている。【００１２】  図６は本考案のフックの根元部３ｂにカゴ８を連結し物入れとして吸盤をつけることができる上面を有するテーブルＮの縁で使用している実施例を示している。
【図面の簡単な説明】
【図１】本考案に係る吸盤付きフックの構成を示す斜視図である。
【図２】本考案の機能を備えた物掛け具の、使用の実施例を示す側面図である。
【図３】本考案の機能を備えた物掛け具の、使用の、図２とは別の実施例を示す側面図である。
【図４】本考案の機能を備えた物掛け具の使用の、図２、図３とは別の実施例を示す斜視図である。
【図５】図２、図３、図４と異なる本考案の機能を備えた物掛け具の、使用の実施例を示す側面図である。
【図６】本考案の機能を備えた物入れの、使用の実施例を示す斜視図である。
【符号の説明】
１  吸盤体
１ａ  吸盤体中央の抓み部
２  紐状の部品
３  フック体
３ａ  フックの先端部
３ｂ  フックの根元部
４  連結部
５  連結部
４ａ  連結部
５ａ  連結部
６  物を掛けるためのフック
７  棒状の部品
８  カゴ
Ｋ  吸盤をつけることができる上面を有する棚
Ｌ  棒
Ｍ  吸盤をつけることができる壁面
Ｎ  吸盤をつけることができる上面を有するテーブル
【図１】
0003103913.tif 000003
【図２】
0003103913.tif 000004
【図３】
0003103913.tif 000005
【図４】
0003103913.tif 000006
【図５】
0003103913.tif 000007
【図６】
0003103913.tif 000008
(57)【要約】      （修正有）【課題】手の平のツボを刺激し、握力の増強を図る器具（イボタマ）を提供する。【解決手段】玉子型の物体に突起物をつけゴムボールの様に片手で握ることで手の平のツボを刺激する一方繰り返して握ることにより握力増強を特徴とする。【選択図】図１
0003103920.tif 000002
【実用新案登録請求の範囲】
【請求項１】
玉子型をした物の表面に突起物を全面に一定の間隔をおきつける。（配列）
【請求項１】
突起物の大きさ及び高さを色々変える
【請求項１】
玉子型の部分をやわらかいものからかたいものまですべて
【考案の詳細な説明】
【技術分野】
【０００１】この考案は玉子形をしたものに突起物をつけることにより手の平のツボを刺激し玉子の柔軟性により握力の増強をしようとする器具である
〔技景技術〕【０００２】従来、握力増強は昔はクルミを握るとか最近は色々あるが子供から老人まで使えるものがないので今回の考案に至った
〔発明が解決しようとする課題〕【０００３】これはつぎのような問題があった
先ず手の中にフィットする大きさ、突起物の配列に気をつけたこと
〔考案の効果〕【０００４】この器具（イガタマ）を使い、手の平のツボを刺激するとともに握力増強する効果が得られた老人の痴呆防止に役立つと思う
〔考案を実施するための最良の状態〕【０００５】以下、本考案の実施例について説明する
ゴムでイボイボのついた玉子をつくる
尚  材質についてはビニール、プラスチック等でもよい
【図面の簡単な説明】
【０００６】
【図１】本考案の平面図
【図２】本考案の側面図
【符号の説明】
【０００７】１  突起
【図１】
0003103920.tif 000003
【図２】
0003103920.tif 000004
【手続補正書】
【提出日】平成16年4月2日(2004.4.2)
【手続補正１】
【補正対象書類名】実用新案登録請求の範囲
【補正対象項目名】全文
【補正方法】変更
【補正の内容】
【実用新案登録請求の範囲】
【請求項１】
表面に突起物を前面に一定の間隔を、おきつける玉子型をした物。
【請求項２】
突起物の大きさ及び高さを色々変える、請求項１記載の玉子型をした物。
【請求項３】
玉子型の部分をやわらかいものからかたいものまですべてとする、請求項１記載の玉子型をした物。
(57)【要約】      （修正有）【課題】簡単で無理のない着脱、オムツ交換、診察等に便利、特に介護者の手間がはぶけ、手助の出来る介護用パジャマの提供。【解決手段】上着の衿はスタンドカラーの衿元のもたつきの解消、着て楽なデザインで２センチ程、折返をした上にドット釦をつける事によって丈夫で安易に止めはずしが出来るようにした。【選択図】図２
0003103934.tif 000002
【実用新案登録請求の範囲】
【請求項１】
本物品は衣類の着せ替を安易にした被介護者負傷者を対象にした特に開閉を不自由な被介護者でも止めはずしが簡単なドット釦を使用したパジャマ
【請求項２】
上着とパンツを別々にした組合せ上着は特に身体の不自由な人に最も着安いラグラン紬とし前身と紬の開閉をトット釦を使用し、取りはずしを簡単にした、又前部開閉両股の開閉と、特にオムツの使用時などお意識したパンツで上着パンツ一体化した介護用パジャマ
【考案の詳細な説明】
【技術分野】
【０００１】本新案は開閉が簡単な上、止めはずしの簡単な介護用パジャマに関するものである
〔背景技術〕【０００２】従来一般的に使用されているパジャマは図の▲３▼に示すように前開きボタン付上着▲１▼と在来型ズボン▲２▼とで構成されている又図▲４▼に示すようにファスナーを使用しズボン組合せたものです
又図の▲４▼に示すように肩より紬付をしたもの主であります。又図の▲５▼が示すように上下一体（つなぎタイプ）のものを▲６▼のようにファスナーで開閉できるようにしたものがある
〔考案の開示〕
〔考案が解決しようとする課題〕【０００３】しかし従来のパジャマでわ次のような不便な問題点がある。（１）四肢の不自由な老人、負傷者に対して着脱の不便がある。特に体重の重い被介護者に対してわ介護人一人でわ着脱が出来ず復数の人手を要するそれを安易にしたものです
〔課題を解決するための手段〕【０００４】パンツについては重度の被介護者は自分で腰が上げられずオムツの交換等が困難で介護者の身体の負担は大変なものである
診察各種の処理の時も全く同様である
このような従来の問題点を介護にたずさわっている人々と又被介護者の手助けする目的とする
〔考案の効果〕【０００５】この介護用パジャマは次の▲１▼▲２▼に記載したものです
▲１▼上着とパンツに別れている。前記上着はラグラン袖で前立と袖付の所をドット釦を使用し不自由な身体の人でも容易にできる
▲２▼前記パンツは前立と前身の部分を横に開閉をする事で可能にしたのが特徴です
上着は着安さを重視したスタンドカラー肩にもたつきのないラグラン袖、ドット釦を使用着脱を安易にした
〔考案の実施するため最良の形態〕【０００６】以下実施の形態を実施例によって図面参照しながら説明をします。
（実施例１）図の１（Ａ）は実施例１のパジャマの上着図▲１▼とパンツ図の２は正面図同図（Ｂ）は背面図です
▲１▼上着について従来の前開き又は両袖をファスナーを使用したものがあるそれをドット釦（図Ｄ）を使用する事によって簡単に止めはずしが出来着脱が安易になった又ラグラン袖（図の１１）によって最も着て楽なデザインとした
〔実施例〕【０００７】上着の衿はスタンドカラー（図の１２）衿元のもたつきの解消着て楽なデザイン
（図の１）（図の２）の▲１４▼のように２センチ程、折返をした上にドット釦（図の４）をつける事によって丈夫で安易に止めはずしが出来るようにした【０００８】パンツについて前立と横に切り替を（図−２）▲１４▼ウエストにわ自由なゴム（図の２）▲１７▼を使用する事で安易に着脱できる伸縮を自由にするためサイズは自由である【０００９】（図の１）（Ａ）はパジャマの上着正面図
（図の２）（Ｂ）はパンツ正面図
同図（Ｂ）はそれらの背面図
以上、上述のように構成したので効果のある介護パジャマと期待する
【図面の簡単な説明】
【００１０】〔図の１〕実施例１の介護パジャマを示す（Ａ）正面図（Ｂ）背面図
〔図の２〕（Ａ）パンツ正面図Ｂは背面図
〔図の３〕従来の介護パジャマ  正面図
〔図の４〕      〃              〃
〔図の５〕      〃              〃
〔符号の説明〕【００１１】Ｄ    ドット釦
９    上着
１０  パンツ
１１  ラグラン袖
１２  スタンドカラー
１３  前立
１４  釦付折替し
１５  釦付折替し
１６  前立釦付
１７  ゴム縫込み
【図１】
0003103934.tif 000003
【図２】
0003103934.tif 000004
【図３】
0003103934.tif 000005
【図４】
0003103934.tif 000006
【図５】
0003103934.tif 000007
(57)【要約】【目的】本考案は、二次電池の充電状況の判定に、二次電池の温度を利用した充電装置において、多様な形状の二次電池温度を、正確に計測することを目的とする。【構成】本考案の二次電池充電装置は、二次電池の温度を計測する非接触式温度センサーと、そのセンサーからの信号を元に、二次電池の充電状況を判定する、充電制御用マイコンと、その充電制御用マイコンからの指示で、二次電池への充電の開始と停止を行う、直流安定化電源から構成される。【選択図】図１
0003103933.tif 000002
【実用新案登録請求の範囲】
【請求項１】
本考案は、二次電池の充電状況の判定に、二次電池の温度を利用した充電装置の温度計測手段として、非接触式温度センサーを備え、二次電池の温度を非接触にて計測することを特徴とする充電装置。
【考案の詳細な説明】
【考案の詳細な説明】
【産業上の利用分野】
【０００１】本考案は、二次電池の充電を行うための充電装置に関する。
【背景技術】
【０００２】一般に、二次電池の充電状況の判定に、二次電池の温度を利用した充電装置の温度計測手段としては、サーミスタや温度計測用半導体素子等の、接触式温度センサーが使われている。
【考案が解決しようとする課題】
【０００３】二次電池の充電状況の判定に、二次電池の温度を利用した充電装置の温度計測手段として、接触式温度センサーを使用した場合、この接触式温度センサーと二次電池の接触状況が、不安定になる形状の二次電池の場合は、温度計測に正確さを欠き、的確な充電状況の判定を行うことができない。
【０００４】二次電池の表面は保護フィルムによって覆われているため、上記接触式温度センサーを、二次電池表面に接触させて温度計測を行った場合、必然的に二次電池の表面を覆っている保護フィルムの温度を計測することになり、この温度計測結果は保護フィルムの熱伝導性能に左右され、精度の低いものになっている。
【０００５】また、二次電池表面の保護フィルムは、一般的に塩化ビニールの収縮式チューブを使用しているため、表面の平面度や形状再現性が低く、そのため上記接触式温度センサーと二次電池との接触状況も不安定なものになり易く、温度計測の再現性を低下させる原因になっている。
【課題を解決するための手段】
【０００６】本考案は、上記課題を解決するための温度計測センサーとして、二次電池温度に比例して、二次電池本体から発せられる赤外線量を計測することが可能な、赤外線センサーである非接触式温度センサーを用いた。
【０００７】二次電池本体から発せられる赤外線は二次電池表面の保護フィルムを透過する特性を持っているため、この赤外線量を計測することが可能な、非接触式温度センサーを使用して温度計測を行うことにより、形状の異なる二次電池においても、計測精度及び再現性の向上が図れ、上記課題を解決することができる。
【考案の作用、効果】
【０００８】二次電池の充電状況の判定に、二次電池の温度を使用する際の温度計測手段として、非接触式温度センサーを使用することにより、二次電池の温度計測精度、及び計測の再現性を向上させることができ、その結果、二次電池の充電状況の把握も正確になり、安全、かつ確実に二次電池の満充電を完了することができる。
【実施例】
【０００９】以下、本考案の実施例を添付図面に基づいて説明する。図１は本考案の二次電池充電装置のブロック図である。図１に示すように、サーモパイル型非接触式温度センサー１と、直流安定化電源２と、充電制御用マイコン３と、表示部４と、操作部５と、充電される二次電池６からなる。【００１０】サーモパイル型非接触式温度センサー１は、二次電池６の温度を計測して、充電制御用マイコン３に温度信号を送る。また、その充電制御用マイコン３は、サーモパイル型非接触式温度センサー１からの温度信号を受け取り、二次電池６に対する充電の開始と停止を、直流安定化電源２に指示する。操作部５は、充電の開始と、二次電池充電完了温度を、充電制御用マイコン３に指示する。また充電制御用マイコン３は、二次電池６の温度を、表示部４に表示させる。【００１１】操作部５から二次電池充電完了温度を、充電制御用マイコン３に指示し、次に操作部５から、充電の開始を充電制御用マイコン３に指示すると、充電制御用マイコン３から直流安定化電源２に、充電の開始が指示され、二次電池６への充電が開始される。充電が進行するに従いし、二次電池６の温度が上昇して行き、サーモパイル型非接触式温度センサー１は、計測した二次電池６の温度信号を、充電制御用マイコン３に送り続け、その温度信号が、充電制御用マイコン３に指示された温度に達した時点で、充電制御用マイコン３は、直流安定化電源２に充電を終了させる。
【図面の簡単な説明】
【００１２】
【図１】本考案の二次電池充電装置のブロック図である。
【符号の説明】
１…サーモパイル型非接触式温度センサー
２…直流安定化電源
３…充電制御用マイコン
４…表示部
５…操作部
６…二次電池
【図１】
0003103933.tif 000003
(57)【要約】【課題】周囲に異常を知らせると共に、遠隔地にも異常を知らせる事の出来る簡易タイプの防犯装置。【解決手段】周囲に異常を知らせるだけの簡易タイプの防犯装置に接続端子を設け、該接続端子に接続した自動接続装置を利用して携帯電話等の無線通信装置と組み合わせて、予め設定した連絡先へ自動接続する通報機能付きとする。【選択図】図２
0003103935.tif 000002
【実用新案登録請求の範囲】
【請求項１】
携帯電話等の無線通信装置と組み合わせて使用する防犯装置であり、人体感知センサー等により人の存在を探知したり、その他入力信号により、異常を知らせるアラームとして音を発したり、アラーム点灯、点滅を行い、携帯電話等の無線通信装置と組み合わせ、予め設定した連絡先へ自動接続する装置。
【請求項２】
請求項１記載のアラームとして音を発するブザー等から成る装置や、その他外部からの入力信号によりアラームとして音を発するブザー等からなる装置は、携帯電話等の無線通信装置と組み合わせ、予め設定した連絡先へ自動接続するための出力を有する装置。
【考案の詳細な説明】
【技術分野】
【０００１】
本考案は、防犯装置に関するものである。
【背景技術】
【０００２】
現在市販されている防犯装置には、防犯ブザーで代表されるように音で周囲に異常を知らせる低価格な簡易タイプと、セキュリティーシステムのように電話回線を使って遠隔地に異常を知らせる高機能で高価格な装置がある。
一方最近は、携帯電話の普及で低年齢層の子供達も携帯電話を持つ時代となっており、さらに該携帯電話の外部端子に接続してボタンひとつで予め設定した番号へ自動接続する装置も市販され始めている。
【０００３】
しかし、周囲に異常を知らせる簡易タイプの防犯装置であり、且つ携帯電話を利用して遠隔地にも異常を知らせるような装置は無い。
【考案の開示】
【考案が解決しようとする課題】
【０００４】
解決しようとする問題点は、周囲に異常を知らせると共に遠隔地にも異常を知らせる簡易タイプの防犯装置が無い点である。
【課題を解決するための手段】
【０００５】
本考案は、簡易タイプの防犯装置と携帯電話等の無線通信装置と組み合わせて、周囲に異常を知らせると共に予め設定した連絡先へ自動接続して遠隔地にも異常を知らせる通報機能を持つ事を最も主要な特徴とする。
【考案の効果】
【０００６】
本考案は、現在市販されている防犯ブザーも簡単な回路の追加により通報機能付きとする事ができるという利点がある。
【考案を実施するための最良の形態】
【０００７】
【実施例１】
【０００８】
図１は、本考案装置の請求項１の１実施例の説明図であって、１は防犯装置、２は自動接続装置、３は携帯電話、４はセンサーである。
【０００９】
センサー４は、人体感知センサーであり、人の存在を検知して信号を出力する。防犯装置１は、該信号を受付るとアラームとして、音を発したり光を点灯または点滅させるなどして周囲に異常を知らせると共に自動接続装置２を動作させる。該自動接続装置２には、予め設定された電話番号が登録されており、該自動接続装置２は、携帯電話３の外部端子を利用して該携帯電話３をコントロールして、前記設定された電話番号の所に自動接続する。
【００１０】
実施例ではセンサー４を人体感知センサーとしたが、該センサー４はどんなセンサーでも良く、例えば光、音、振動、熱、等を検知するセンサーとしても良い。またセンサー４の代わりに接続端子を設けて外部からの信号入力としても良い。
【実施例２】
【００１１】
図２は、本考案装置の請求項２の１実施例の説明図であって、１〜３は図１と同様である。また、５は接続端子である。
【００１２】
図１では、防犯装置１と自動接続装置２が1つのユニットとして構成されていたが、図２の実施例では、該防犯装置１に接続端子５を設ける事により、該防犯装置１と該自動接続装置２を分離できるようにしてある。これにより該防犯装置１を単独で使用したり、携帯電話３と組み合わせて使用したりと、自由な組み合わせが可能となっている。
【００１３】
さらに、この方法によれば現在市販されている防犯ブザーであっても、簡単な回路と前記接続端子５の追加により通報機能付きとする事ができる。
【実施例３】
【００１４】
図３は、本考案装置の１実施例の説明図であって、１〜３は図１と同様である。また、６は送信装置、７は受信装置である。
【００１５】
図２では、接続端子５を設ける事により防犯装置１を自動接続装置２と分離したり合体したり出きるようにしたが、図３の実施例のように光や電波等を利用する送信装置６と受信装置７を用いれば、該接続端子５をわざわざ設ける必要が無く、防水性の高い該防犯装置１と該自動接続装置２とする事ができる。
【実施例４】
【００１６】
図４は、本考案装置の１実施例の説明図であって、３〜４は図１と同様である。
【００１７】
図４の実施例では、防犯装置１の機能と自動接続装置２の機能を携帯電話３が持っており、センサー４のみ接続する事により、図１と同様の機能を持たせたものである。
【産業上の利用可能性】
【００１８】
携帯電話等の無線通信装置と組み合わせるものであるため、例えば車等の移動体に設置する簡易型の防犯装置の用途にも適用できる。
【図面の簡単な説明】
【００１９】
【図１】通信機能付き防犯装置の実施方法を示した説明図である。（実施例１）
【図２】通信機能付き防犯装置の実施方法を示した説明図である。（実施例２）
【図３】通信機能付き防犯装置の実施方法を示した説明図である。（実施例３）
【図４】通信機能付き防犯装置の実施方法を示した説明図である。（実施例４）
【符号の説明】
【００２０】
１    防犯装置
２    自動接続装置
３    携帯電話
４    センサー
５    接続端子
６    送信装置
７    受信装置
【図１】
0003103935.tif 000003
【図２】
0003103935.tif 000004
【図３】
0003103935.tif 000005
【図４】
0003103935.tif 000006
【手続補正書】
【提出日】平成16年5月18日(2004.5.18)
【手続補正１】
【補正対象書類名】実用新案登録請求の範囲
【補正対象項目名】全文
【補正方法】変更
【補正の内容】
【実用新案登録請求の範囲】
【請求項１】
携帯電話等の無線通信装置と組み合わせて使用する防犯装置であり、人体感知センサ等のセンサ回路と、該センサ回路の信号を増幅する増幅回路と、該増幅回路の出力により光や音や振動等により異常を知らせるアラーム回路と、前記増幅回路の出力により、携帯電話等の無線通信装置に対して予め設定した連絡先へ自動接続させる回路を有する装置。
【請求項２】
請求項１記載のアラーム回路から成る装置であり、スイッチ動作により異常を知らせるアラーム音等を発すると共に、携帯電話等の無線通信装置を利用して予め設定した連絡先へ自動接続させる装置を起動するための出力端子を有する装置。
(57)【要約】【課題】  従来では掛布団カバーは常識的に使用されているものの、汚れるのは衿部分だけであるのに、カバー全体をはずして洗濯をしなくてはならない。【解決手段】  本考案は長方形の衿カバー（１）を横に二つ折りにし、前後両端に長さ５ｃｍのマジックテープ（Ａ）を４個づつ８個を所定間隔に縫い付けておく。長さ５ｃｍのマジックテープ（Ｂ）と同じ長さの裾上げテープ（２）を裏側どうしを縫い合わせると表側に糊部分がでる。同じ物を８個作成し衿カバー（１）に縫い付けてあるマジックテープ（Ａ）とマジックテープ（Ｂ）をそれぞれ重合させると表側が裾上げテープになるので使用目的の掛布団カバーに合わせ位置を決めたら裾上げテープ（２）を水で濡らし、マジックテープ（Ａ）よりはずして所定の位置にセロテープで止めておき、掛カバーを裏返して裏側よりアイロンで接着する。この作業を片側４個づつすることで簡単に接着することができ、ワンタッチで衿カバーが着脱できる。【選択図】  図４
0003103937.tif 000002
【実用新案登録請求の範囲】
【請求項１】
マジックテープと裾上げテープを縫い合わせて掛布団カバーに接着させてワンタッチで衿カバーが着脱できる様にした掛布団の衿カバー
【考案の詳細な説明】
【考案が解決しようとする課題】
【０００１】  この考案はマジックテープと裾上げテープを利用して簡単に着脱が出来る掛布団の衿カバーである。従来では掛布団のカバーは常識的に使用されているものの、汚れるのは衿部分だけであるのに、布団カバー全体をはずして洗濯をしなくてはならない。又、つける時も布団が重い為、面倒で大変な作業であるので、つい洗濯を怠ると、布団の生地にまで汚れがしみ込んでしまう。すると、衿の汚れは油を含んでいるので簡単には落ちない、そうなると高額な費用を出して布団の打ち直しをすることになるので長年の悩みでもあった。
【課題を解決するための手段】
【０００２】  本考案はこの面倒で不経済を解消するために考案されたもので、以下図面と共に説明すれば、洗濯のきく清潔感のある布地（１）を縦６０ｃｍ横１ｍの長方形を横二つ折りにし、前部分になる両端を前後の区別をつけるため丸みをつけ、長さ５センチのマジックテープ（Ａ）を布地（１）の前部分４ヶ所、後部分４ヶ所に所定間隔に縫い付ける。長さ５センチのマジックテープ（Ｂ）と長さ５センチの裾上げテープ（２）の裏側どうしを縫い合わせる。裾上げテープは水で濡らすだけで熱を加えることで接着できることを利用して使用してある。マジックテープ（Ｂ）の裏側と裾上げテープ（２）の裏側どうしを縫い合わせると表側にはマジックテープ（Ｂ）と裾上げテープの糊の部分が表側に出る様になる。
これと同じ物を８個作成して、布地（１）に縫い付けてあるマジックテープ（Ａ）にそれぞれマジックテープ（Ｂ）を重ね合わせると表側が裾上げテープ（２）の糊部分になる。
【考案の効果】
【０００３】  使用目的の掛布団カバーの衿部分に布地（１）を横二つ折りにし挟む様にしてかぶせ、位置が決まったら、裾上げテープ（２）を濡らしてマジックテープ（Ａ）からはずして掛布団カバーに密着させ、はずれない様にセロテープで押さえておく。掛布団カバーを裏返して裏側からアイロンで熱を加えることでマジックテープ（Ｂ）は掛布団カバーに接着できる。この作業を前後片側づつすることで簡単にマジックテープ（Ｂ）は掛布団カバーに接着できる。すると衿カバーに縫いつけてあるマジックテープ（Ａ）と掛布団カバーに接着してあるマジックテープ（Ｂ）に重合させればワンタッチで着脱できる。
この方法を使用することで衿カバーは簡単に洗濯が出来、いつも清潔にしていられ、いちいち布団カバー全体をはずさなくても済むし、布団の打ち直しをしなくてもよいし経済的である。
【図面の簡単な説明】
【図１】長方形の布地の両端にマジックテープ（Ａ）を所定間隔に付けた平面図である。
【図２】マジックテープ（Ｂ）と裾上げテープの裏側どうしを縫い付けた斜視図である。
【図３】使用目的の掛布団カバーにマジックテープＢを接着した平面図である。
【図４】使用目的の掛布団カバーに衿カバーをつけた平面図である。
【符号の説明】
１      長方形の布地
２      裾上げテープ
Ａ，Ｂ  マジックテープ
【図１】
0003103937.tif 000003
【図２】
0003103937.tif 000004
【図３】
0003103937.tif 000005
【図４】
0003103937.tif 000006